(57)【要約】      （修正有）【課題】国際ローミングをしているときに、より簡単なアクセス手続きで国際ダイヤルを可能とする。【解決手段】ネットワークから情報を検索することと、検索された情報に関連する国際アクセスコードを識別することと、国際アクセスコードを用い、ネットワークを通じて、国際通話を申し込むこととを含む。あるいは、国際アクセスコードが、ネットワークから直接検索される。【選択図】図４Ａ
2011091823.tif 000002
【特許請求の範囲】
【請求項１】
通信方法であって、
ネットワークから情報を検索することと、
前記検索された情報に関連する国際アクセスコードを識別することと、
前記国際アクセスコードを用い、前記ネットワークを通じて、国際通話を申し込むことと
を備える方法。
【請求項２】
請求項１に記載の方法において、前記情報は、前記ネットワークの位置に関連する方法。
【請求項３】
請求項１に記載の方法において、前記情報は、前記ネットワークに登録している間に検索される方法。
【請求項４】
請求項３に記載の方法において、前記国際通話の開始は、ハンドセット上のキーを動作させることからなる方法。
【請求項５】
請求項４に記載の方法において、前記情報の検索は、前記キーの動作に応じている方法。
【請求項６】
請求項３に記載の方法において、前記国際アクセスコードの識別は、ハンドセット上のキーの動作に応じている方法。
【請求項７】
請求項１に記載の方法において、前記国際アクセスコードの識別は、前記情報を前記国際アクセスコードにマップすることを備える方法。
【請求項８】
請求項１に記載の方法において、前記ネットワークはＣＤＭＡネットワークを備える方法。
【請求項９】
請求項１に記載の方法において、前記情報は、システムパラメータメッセージを備える方法。
【請求項１０】
請求項９に記載の方法において、前記情報は、システム識別子を備える方法。
【請求項１１】
請求項１０に記載の方法において、前記方法は更に、
受信されたシステム識別子を、格納されたホームネットワークのシステム識別子と比較することと、
もしも前記受信されたシステム識別子が前記ホームネットワークのシステム識別子と異なるのであれば、前記国際アクセスコードを用いて、前記ネットワークを通じて国際通話を申し込むことと、
もしも前記受信されたシステム識別子が前記ホームネットワークのシステム識別子であれば、前記ホームネットワークの国際アクセスコードを用いて、前記ネットワークを通じて国際通話を申し込むことと
を備える方法。
【請求項１２】
通信方法であって、
ネットワークから国際アクセスコードを検索することと、
前記ネットワークから検索した国際アクセスコードを用いて、前記ネットワークを通じて国際通話を申し込むことと
を備える方法。
【請求項１３】
請求項１２に記載の方法において、前記国際アクセスコードを検索する前に、前記国際通話を開始することを更に備える方法。
【請求項１４】
請求項１３に記載の方法において、前記国際通話を開始することは、ハンドセット上のキーを動作させることを備える方法。
【請求項１５】
請求項１４に記載の方法において、前記国際アクセスコードの検索は、前記キーの動作に応じている方法。
【請求項１６】
請求項１５に記載の方法において、前記ネットワークはＣＤＭＡネットワークを備える方法。
【請求項１７】
通信方法を実行するためのコンピュータプログラムによって実行可能な命令のプログラムを組み入れたコンピュータ読取可能媒体であって、前記方法は、
ネットワークから情報を検索することと、
前記検索された情報に関連する国際アクセスコードを識別することと、
前記国際アクセスコードを用い、前記ネットワークを通じて、国際通話を申し込むことと
を備えるコンピュータ読取可能媒体。
【請求項１８】
請求項１７に記載のコンピュータ読取可能媒体において、前記情報は、前記ネットワークの位置に関連しているコンピュータ読取可能媒体。
【請求項１９】
請求項１７に記載のコンピュータ読取可能媒体において、前記情報は、前記ネットワークへの登録中に検索されるコンピュータ読取可能媒体。
【請求項２０】
請求項１７に記載のコンピュータ読取可能媒体において、前記情報の検索は、ハンドセット上のキーの動作に応じているコンピュータ読取可能媒体。
【請求項２１】
請求項１７に記載のコンピュータ読取可能媒体において、前記国際アクセスコードの識別は、ハンドセット上のキーの動作に応じているコンピュータ読取可能媒体。
【請求項２２】
請求項１７に記載のコンピュータ読取可能媒体において、前記国際アクセスコードの識別は、前記情報を前記国際アクセスコードにマップすることを備えるコンピュータ読取可能媒体。
【請求項２３】
請求項１７に記載のコンピュータ読取可能媒体において、前記ネットワークはＣＤＭＡネットワークを備えるコンピュータ読取可能媒体。
【請求項２４】
通信方法を実行するためのコンピュータプログラムによって実行可能な命令のプログラムを組み入れたコンピュータ読取可能媒体であって、前記方法は、
ネットワークから国際アクセスコードを検索することと、
前記ネットワークから前記検索された国際アクセスコードを用い、前記ネットワークを通じて、国際通話を申し込むことと
を備えるコンピュータ読取可能媒体。
【請求項２５】
請求項２４に記載のコンピュータ読取可能媒体において、前記国際アクセスコードの検索は、ハンドセット上のキーの動作に応じているコンピュータ読取可能媒体。
【請求項２６】
請求項２４に記載のコンピュータ読取可能媒体において、前記ネットワークはＣＤＭＡネットワークを備えるコンピュータ読取可能媒体。
【請求項２７】
通信装置であって、
ネットワークから情報を検索する検索手段と、
前記検索された情報に関連する国際アクセスコードを識別する識別手段と、
前記国際アクセスコードを用い、前記ネットワークを通じて、国際通話を申し込む手段と
を備える通信装置。
【請求項２８】
請求項２７に記載の通信装置において、前記情報は、前記ネットワークの位置に関連している通信装置。
【請求項２９】
請求項２７に記載の通信装置において、前記検索手段は、前記ネットワークへの登録中に前記情報を検索するように構成されている通信装置。
【請求項３０】
請求項２７に記載の通信装置において、前記国際通話を開始する手段を更に備え、前記検索手段は、前記国際通話の開始に応じて前記情報を検索するように構成されている通信装置。
【請求項３１】
請求項３０に記載の通信装置において、前記国際通話を開始する手段は、キーを備える通信装置。
【請求項３２】
請求項３０に記載の通信装置において、前記識別手段は、前記国際通話の開始に応じて前記国際アクセスコードを識別するように構成されている通信装置。
【請求項３３】
請求項３０に記載の通信装置において、前記識別手段は、関連する国際アクセスコードとともに格納された情報を持つルックアップテーブルを備える通信装置。
【請求項３４】
請求項２７に記載の通信装置において、前記識別手段は、前記情報を前記国際アクセスコードにマップする手段を備える通信装置。
【請求項３５】
請求項２７に記載の通信装置において、前記ネットワークがＣＤＭＡネットワークを備える通信装置。
【請求項３６】
通信装置であって、
ネットワークから国際アクセスコードを検索する検索手段と、
前記ネットワークから検索した国際アクセスコードを用いて、前記ネットワークを通じて国際通話を申し込む手段と
を備える通信装置。
【請求項３７】
請求項３６に記載の通信装置において、前記国際通話を開始する手段を更に備え、前記識別手段は、前記国際通話の開始に応じて前記国際アクセスコードを識別するように構成されている通信装置。
【請求項３８】
請求項３７に記載の通信装置において、前記国際通話を開始する手段は、キーを備える通信装置。
【請求項３９】
請求項３６に記載の通信装置において、前記ネットワークはＣＤＭＡネットワークを備える通信装置。
【請求項４０】
通信装置であって、ネットワークから情報を検索し、前記検索された情報に関連する国際アクセスコードを識別し、前記国際アクセスコードを用い、前記ネットワークを通じて、国際通話を申し込むように構成されたプロセッサを備える通信装置。
【請求項４１】
請求項４０に記載の通信装置において、前記情報は、前記ネットワークの位置に関連している通信装置。
【請求項４２】
請求項４０に記載の通信装置において、前記プロセッサは更に、前記ネットワークへの登録中に前記情報を検索するように構成されている通信装置。
【請求項４３】
請求項４０に記載の通信装置において、前記国際通話を開始するように構成されたキーを更に備え、前記プロセッサは前記キーの動作に応じている通信装置。
【請求項４４】
請求項４３に記載の通信装置において、前記プロセッサは更に前記キーの動作に応じて前記情報を検索するように構成されている通信装置。
【請求項４５】
請求項４３に記載の通信装置において、前記プロセッサは更に、前記キーの動作に応じて前記国際アクセスコードを識別するように構成されている通信装置。
【請求項４６】
請求項４０に記載の通信装置において、前記プロセッサは更に、前記情報を前記国際アクセスコードにマップすることによって前記国際アクセスコードを識別するように構成されている通信装置。
【請求項４７】
請求項４０に記載の通信装置において、前記ネットワークはＣＤＭＡネットワークを備える通信装置。
【請求項４８】
通信装置であって、ネットワークから国際アクセスコードを検索し、前記ネットワークから検索した国際アクセスコードを用いて、前記ネットワークを通じて国際通話を申し込むように構成されたプロセッサを備える通信装置。
【請求項４９】
請求項４８に記載の通信装置において、前記国際通話を開始するように構成されたキーを更に備え、前記プロセッサは、前記キーの動作に応じている通信装置。
【請求項５０】
請求項４９に記載の通信装置において、前記プロセッサは更に、前記キーの動作に応じて前記国際アクセスコードを検索するように構成される通信装置。
【請求項５１】
請求項４８に記載の通信装置において、前記ネットワークはＣＤＭＡネットワークを備える通信装置。
【発明の詳細な説明】
【技術分野】
【０００１】
本発明は、一般に通信に関し、更に詳しくは、無線通信システムにおいて複数のネットワークプラットフォームを横切ってローミングしながら国際ダイヤルをサポートするシステム及び技法に関する。
【背景技術】
【０００２】
ローミングは、ユーザのホームネットワークの外で電話をかけたり、受け取る能力のことである。更に詳しくは、国際ローミングは、ユーザ自身のハンドセット及び外国の無線ネットワークを用いて、外国から通話したり、通話を受ける能力である。一般に、国際ローミングは、ユーザが、国際アクセスコードにダイヤルし、ユーザが位置している国の外の電話番号に到達することを必要とする。国際アクセスコードは、各国に特有であり、場合によっては、そのネットワークが通話をサポートしているキャリアに特有である。例えば、アメリカ合衆国内のユーザは、国際ローミング特性を使用して国際通話を申し込むために、自分のハンドセットで”０１１”をダイヤルしなければならない。フランス国内のユーザは、フランスから国際通話を申し込むために、どのキャリアを利用するかの選択に依存して、”００”、”４０”、”７０”、又はその他の国際アクセスコードをダイヤルするであろう。従って、頻繁に旅行するユーザは、自分のハンドセットを用いて、異なる国において通話を申し込むために、種々の異なる国際アクセスコードを常に知っていなければならない。多くの国が、異なる国際アクセスコードを持っていること、及び単一の国内で国際アクセスコードはキャリアによって変わりうることから、コードの正確な知識は、旅行者にとってかなりの負担となる。
【０００３】
ヨーロッパの多くの国では、無線ネットワークのためにグローバル・システム・フォー・モバイル・コミュニケーションズ（ＧＳＭ（登録商標））規格を用いている。ＧＳＭは、国際ダイヤル特性をサポートする。そこでは、ユーザは、国際アクセスコードをダイヤルする代りに、ハンドセット上の（＋）キーをダイヤルする。（＋）キーをダイヤルすることは、この通話を国際通話として印付け、ローカルな交換システムに対して、この通話を国際交換にルーティングするように指示する。あいにく、ＧＳＭによってサポートされた（＋）キーを含むハンドセットを持つユーザは、ＧＳＭネットワークによってカバーされていないエリア内ではこの機能を利用することはできない。例えば、符号分割多元接続（ＣＤＭＡ）システムは、（＋）キーを用いて申し込まれた通話に伴った印を認識又はサポートすることができず、それを国際交換にルーティングすることはできない。代わりに、国際通話をルーティングするために、ＣＤＭＡシステムは、この通話に同伴するための適切な国際アクセスコードを必要とする。
【０００４】
過去数年間にわたった無線通信の劇的な増加によって、国際ローミングをしているときに、より簡単なアクセス手続きに対する要求が出てきた。しかしながら、適切な国際アクセスコードを知らず、かつ入力することもなく、通話をサポートするネットワークにも関わらず、ユーザが、国際ローミングに携わることを可能とする自動化された国際ダイヤル特性は、今のところ存在していない。
【発明の概要】
【０００５】
本発明の１つの局面では、通信方法は、ネットワークから情報を検索することと、検索した情報に関連した国際アクセスコードを識別することと、国際アクセスコードを用いて、ネットワークを通じて国際通話を申し込むこととを含む。
【０００６】
本発明の別の局面では、通信方法は、ネットワークから国際アクセスコードを検索することと、ネットワークから検索した国際アクセスコードを用いて、このネットワークを通じて国際通話を申し込むこととを含む。
【０００７】
本発明の更に別の局面では、コンピュータ読取可能媒体が、ネットワークから情報を検索することと、検索された情報に関連する国際アクセスコードを識別することと、この国際アクセスコードを用い、ネットワークを通じて国際通話を申し込むこととを含む通信方法を実行するために、コンピュータプログラムによって実行可能な命令のプログラムを組み込んでいる。
【０００８】
本発明の更に別の局面では、コンピュータ読取可能媒体が、ネットワークから国際アクセスコードを検索することと、ネットワークから検索された国際アクセスコードを用い、ネットワークを通じて国際通話を申し込むこととを含む通信方法を実行するために、コンピュータプログラムによって実行可能な命令のプログラムを組み込んでいる。
【０００９】
本発明の更に別の局面では、通信装置が、ネットワークから情報を検索する検索手段と、検索された情報に関連する国際アクセスコードを識別する識別手段と、この国際アクセスコードを用い、ネットワークを通じて国際通話を申し込む手段とを含む。
【００１０】
本発明の更に別の局面では、通信装置が、ネットワークから国際アクセスコードを検索する検索手段と、ネットワークから検索された国際アクセスコードを用い、ネットワークを通じて国際通話を申し込む手段とを含む。
【００１１】
本発明の更に別の局面では、通信装置が、ネットワークから情報を検索し、検索された情報に関連する国際アクセスコードを識別し、この国際アクセスコードを用い、ネットワークを通じて国際通話を申し込むように構成されたプロセッサを含む。
【００１２】
本発明の更に別の局面では、通信装置が、ネットワークから国際アクセスコードを検索し、ネットワークから検索された国際アクセスコードを用い、ネットワークを通じて国際通話を申し込むように構成されたプロセッサを含む。
【００１３】
当該技術分野における熟練者には、例示の方法によって本発明の唯一の実施例を示し、記載している下記の詳細記述から、本発明の他の実施例も、明らかに容易になることが理解される。理解されるであろうが、本発明は、その他及び異なる実施例でも実現でき、その幾つかの詳細は、本発明の精神及び範囲から逸脱することなく種々の別の点における変形が可能である。従って、図面及び詳細記述は、本質的説明としてみなされ、限定的とみなされない。
【図面の簡単な説明】
【００１４】
【図１】図１は、ＣＤＭＡ通信システムの概念ブロック図である。
【図２】図２は、登録中の国際アクセスコードを判定するように構成された加入者局内のソフトウェア要素を示す簡略機能図である。
【図３】図３は、登録中の国際アクセスコードを判定するように構成された加入者局内の別のソフトウェア要素を示す簡略機能図である。
【図４Ａ】図４Ａは、図２に関連して記載されたソフトウェアアプリケーションの特徴を示す簡略機能ブロック図である。
【図４Ｂ】図４Ｂは、図３に関連して記載されたソフトウェアアプリケーションの特徴を示す簡略機能ブロック図である。
【図５】図５は、加入者局のローカルネットワークへの登録中の国際アクセスコードを識別するように構成された加入者局の実施例を示す。
【発明を実施するための形態】
【００１５】
本発明の局面は、添付図面において１例として示され、限定として示されない。
【００１６】
添付図と関連して以下に説明した詳細記載は、本発明の実施例の詳細として意図され、本発明が実現される唯一の実施例を示すことを意図していない。本記述全体を通じて使用されている用語「典型的」は、例、インスタンス、又は例示として用いられることを意味しており、他の実施例よりも好適であるか、あるいは有利であるという必要は必ずしもない。この詳細記述は、本発明の完全な理解を与えることを目的とした具体的な詳細を含む。しかしながら、本発明は、これら具体的な詳細がなくても実現できることは、当該技術分野における熟練者に明らかであろう。いくつかの例において、良く知られた構成及びデバイスが、本発明の概念をあいまいにすることを避けるためにブロック図形式で示されている。
【００１７】
以下に示す詳細記述では、様々な技法が、ＣＤＭＡ通信システムのコンテクスト内で記載されるであろう。これら技法は本環境における使用に良く適している一方、当該技術分野における熟練者は、これら技法は、他の無線ネットワークにも同様に適用できることを容易に理解するであろう。従って、ＣＤＭＡ通信システムへのどのような参照も、これら発明的局面が、広い範囲の応用を持つという理解のもと、本発明の様々な発明的局面を示すことのみが意図されている。
【００１８】
図１は、ＣＤＭＡ通信システムの概念ブロック図である。ＣＤＭＡ通信システムは、多くのネットワーク１０１Ａ−Ｆとともに示されている。加入者局１０２は、連続した破線によって、異なるネットワークを通って移動することが示されている。加入者局１０２は、最初、ホームネットワーク１０１Ａ内に示されている。ホームネットワーク１０１Ａは、ホームネットワーク１０１Ａ内の全ての加入者局との無線接続を確立し維持するための１つ又は複数の無線コントローラを含んでいる。無線ネットワークは、基地局と、１つ又は複数の基地局コントローラとの集合として定義されうる。説明の容易のために、唯一の無線ネットワーク１１０が示されている。ホームネットワーク１０１Ａはまた、移動電話交換オフィス（ＭＴＳＯ）１０６を含んでいる。これは、例えば陸上ベースの公衆交換電話ネットワーク（ＰＳＴＮ）及び／又はパケットデータベースのネットワークのような広域ネットワーク（ＷＡＮ）１０８に無線ネットワーク１１０をインタフェースする。
【００１９】
加入者局１０２がホームネットワーク１０１Ａを通って移動すると、加入者局１０２は、他の加入者局（図示せず）と通信するか、又は、無線ネットワーク１１０を介してＷＡＮ１０８にアクセスする。これには、登録処理によって、加入者局１０２と無線ネットワーク１１０との間の無線リンクを確立することを伴う。この登録処理は、オーバヘッドチャネル上で無線ネットワーク１１０から、加入者局１０２へのシステム識別コード（ＳＩＤ）の送信を含む。加入者局がＳＩＤを受信すると、加入者局は、受信したＳＩＤを、加入者局１０２にプログラムされたＳＩＤと比較する。もしも両ＳＩＤが一致すると、加入者局１０２は、自己が、ホームネットワーク１０１Ａからの無線ネットワーク１１０と通信中であることを知る。
【００２０】
一旦加入者局１０２がＳＩＤを受信すると、加入者局は、無線ネットワーク１１０に登録要求を送信する。この登録要求は、ホームネットワーク１０１Ａ内の加入者局１０２の位置をＭＴＳＯ１０６に報告するために使用される。ＭＴＳＯ１０６は、この情報をデータベース内に格納する。このデータベースによってＭＴＳＯは、ホームネットワーク１０１Ａ全体を通じて、加入者局１０２をページする必要なく、加入者局１０２に通話をインテリジェントにルーティングできるようになる。この登録要求に応じて、様々なシステムパラメータが、ＭＴＳＯ１０６から無線ネットワーク１１０を経由して加入者局１０２に送り返される。
【００２１】
加入者局１０２がホームネットワーク１０４の外に移動すると、一般に新たなネットワークに登録する必要がある。図１に示す実施例では、加入者局１０２は、自分のホームネットワーク１０１Ａから、外のネットワーク１０１Ｂに移動する。外のネットワーク１０１Ｂは、加入者局１０２がその外のネットワーク内にとどまる限りは、ローカルネットワークとして参照される。この登録処理の間、加入者局１０２は、外のネットワーク１０１Ｂの無線ネットワーク１１８からＳＩＤを受信する。しかしながら、加入者局のホームネットワーク１０１Ａにおける登録処理とは異なって、無線ネットワーク１１８からのＳＩＤは、加入者局１０２にプログラムされたＳＩＤと一致しないであろう。この不一致によって、加入者局１０２は、自分のホームネットワーク１０１Ａの外部におり、ローミングしていることを認識するであろう。加入者局１０２は、その後、無線ネットワーク１１８を通じて、ローカルなネットワーク１０１Ｂ内のＭＴＳＯ１１４に登録要求を送信する。この登録要求は、加入者局１０２にプログラムされたＳＩＤを含む。このＳＩＤは、加入者局１０２がローミングしているローカルなネットワーク１０１Ｂ内のＭＴＳＯ１１４に表示を提供する。ＭＴＳＯ１１４は、このＳＩＤを用いて、加入者局１０２のホームネットワーク１０１Ａを識別する。ＭＴＳＯ１１４は、その後、加入者局１０２を確認するために、加入者局のホームネットワーク１０１Ａ内のＭＴＳＯ１０６にコンタクトする。一旦確認されると、様々なシステムパラメータが、ＭＴＳＯ１１４から、無線ネットワーク１１８を経由して加入者局１０２に送り戻され、登録処理を完了する。
【００２２】
少なくとも１つの実施例では、このシステムパラメータは、ローカルネットワークのための国際アクセスコードを含む。登録中に取得されたシステムパラメータ内の国際アクセスコードを含むことによって、外のネットワークにおける加入者局におけるユーザは、そのネットワークのための国際アクセスコードを知る必要なく国際通話を申し込む。例えば、加入者局１０２が、ユーザのホームネットワーク１０１Ａから、国際アクセスコードとともに外部のネットワーク１０１Ｂに移動するとき、ユーザはそれでも、単に加入者局１０２上の国際通話キーを動作させることによって、外のネットワーク１０１Ｂから国際通話を申し込む。それに応じて、加入者局１０２は、適切なルーティングを行う無線ネットワーク１１８への送信前に、登録中に取得した国際アクセスコードを、ユーザによってダイヤルされた電話番号に追加する。あるいは、加入者局１０２は、登録中のローカルなネットワーク１０１Ｂ内のＭＴＳＯ１１４から取得された情報から国際アクセスコードを導出するように構成されている。この情報は、例えばＳＩＤ又は国コードのような、ローカルなネットワーク１０１Ｂの地理的位置を識別する位置情報でありうる。
【００２３】
図２は、外のネットワークに登録している時に、国際アクセスコードを判定するように構成された加入者局内のソフトウェア要素を示す簡略機能図である。上述したように、様々なパラメータが登録中に取得されうる。そのようなパラメータの１つは、１つの実施例では、ローカルなネットワーク２０５の地理的位置を含む。加入者局１０２がＭＴＳＯ２０４に登録する時、ローカルなネットワーク２０５の地理的位置が、無線ネットワーク２０６を通って加入者局１０２にルーティングされる。加入者局１０２では、ソフトウェアアプリケーション２１０がこの位置情報を用いて、国際アクセスコードを生成する。
【００２４】
加入者局１０２は汎用目的を持つプロセッサ２１１と、例えば、Ｑｕａｌｃｏｍｍ社によって開発されたＢＲＥＷ（登録商標）オペレーティングシステムのようなソフトウェアプラットフォーム２１２をサポートする特定アプリケーションプロセッサ２１３とを含む。ソフトウェアプラットフォーム２１２は、ソフトウェアアプリケーション２１０を実行するために使用される。プロセッサ２１１で使用される特定のソフトウェアプラットフォーム２１２は、例えば、加入者局内のハードウェア、加入者局によって利用されるソフトウェアアプリケーションの要求、及び／又は加入者局の製造者の他の様々な選択のような種々の要因に依存する。別の実施例では、プロセッサ２１３は、特定用途集積回路（ＡＳＩＣ）、フィールドプログラマブルゲートアレイ（ＦＰＧＡ）又はその他のプログラマブルロジックデバイス、ディスクリートゲート、トランジスタロジック、ディスクリートハードウェア要素、あるいは上述した機能の１つ又は複数を実行するその他の等価構成又は非等価構成を用いて実現されうる。
【００２５】
ソフトウェアアプリケーション２１０は、登録中の無線ネットワーク２０６から検索された位置情報に従って国際アクセスコードを識別するためのルックアップテーブル２１４にアクセスするように構成されうる。このルックアップテーブル２１４は、例えば、マッピングテーブル、テキストファイル、データマトリクス、又はソフトウェアアプリケーション２１０によって利用されるソフトウェアファイル又はその他のデータ構造でありうる。ルックアップテーブル２１４は、位置情報を国際アクセスコードに相関付けるように構成されている。従って、ローカルなネットワーク２０５の位置がＭＴＳＯ２０４から一旦検索されると、この位置情報は、加入者局１０２内に存在するか、あるいは加入者局１０２と通信しているソフトウェア２１０によって、国際電話通話を申し込むための適切な国際アクセスコードを決定するために利用される。その後、ソフトウェアアプリケーション２１０は、ユーザによって加入者局１０２上でダイヤルされた国際電話番号に、検索された国際アクセスコードを追加するために使用される。
【００２６】
図３は、外のネットワークに登録中に国際アクセスコードを決定するように構成された加入者局内の別のソフトウェア要素を示す簡略機能図である。この代替実施例では、加入者局１０２がＭＴＳＯ３０４に登録するとき、無線ネットワーク３０６を通って加入者局１０２に国際アクセスコードが提供される。例えば、もしも特定の国際アクセスコードが、ローカルなネットワーク３０５によって利用される唯一のコードであれば、このローカルなネットワーク３０５は、その国際アクセスコードを用いる地理的な領域だけ拡張するので、その国際アクセスコードは、登録中の加入者局１０２に送り戻される。その後プロセッサ３１１は、ユーザによって加入者局１０２上でダイヤルされた国際電話番号に、検索された国際アクセスコードを追加するために使用される。プロセッサ３１１は、駐在するソフトウェアアプリケーション３１２を用いて実現され、特定アプリケーションプロセッサ３１３の一般目的によってサポートされたソフトウェアプラットフォーム３１０上で動作可能である。あるいは、プロセッサ３１１は、ＡＳＩＣ、ＦＰＧＡ又はその他のプログラマブルロジックデバイス、ディスクリートゲート、トランジスタロジック、ディスクリートハードウェア要素、あるいは上述した機能の１つ又は複数を実行するその他の等価構成又は非等価構成を用いて実現されうる。
【００２７】
図４Ａは、図２に関連して記載されたソフトウェアアプリケーション２１０の特徴を示す簡略機能ブロック図である。ブロック４０２に示すように、加入者局のローカルなネットワークへの登録の間、このローカルなネットワークに関連する位置情報が、加入者局に送信され、ソフトウェアアプリケーション２１０に読み込まれる。次に、ブロック４０４では、ルックアップテーブルがアクセスされる。上述したように、ルックアップテーブルは、多くの異なる形式をとることができ、位置情報に対応する国際アクセスコードを含む。ブロック４０６では、受信した位置情報を使ってルックアップテーブルを参照し、対応する国際アクセスコードが識別される。その後、ステップ４９８では、ユーザによってダイヤルされた電話番号に、識別された国際アクセスコードが追加される。これによって、それに応じてルーティングされ、向けられる国際通話として適切に識別する。
【００２８】
図４Ｂは、図３を参照して記載したソフトウェアアプリケーション３１２の特徴を示す簡略機能ブロック図である。ブロック４１０では、加入者局が登録しているローカルなネットワークに特有の国際アクセスコードが、加入者局に送信され、ソフトウェアアプリケーション３１２によって受信される。その後、この受信された国際アクセスコードは、ユーザによってダイヤルされた電話番号に追加される。これによって、それに応じてルーティングされ、向けられる国際通話として適切に識別する。
【００２９】
図５は、上述した方法及びシステムを実現するために構成された加入者局の実施例である。加入者局１０２は、ハンドセット又は類似のデバイスであって、幾つかある特徴の中で、登録中の種々の機能及び情報検索を実行するためのアンテナ５０４と、ユーザに情報を表示するための表示スクリーン５０６と、ユーザが電話番号をダイヤルできるようにする数字キーを含むキーパッド５０８と、上述した国際アクセスコード決定方法を開始するためのキー５１０とを含む。キー５１０を作動させることによって、ユーザは、自分が国際電話通話を申し込んでいるが、国際アクセスコードを入力しないことをシグナルする。これは、加入者局１０２に対して、上述した国際アクセスコード決定方法を適用するように合図する。これによって、ユーザによって入力された電話番号に、適切な国際アクセスコードが追加される。結果として得られる電話番号は、その後、適切に識別され、ＣＤＭＡ通信システム内でルーティングされる。別の実施例では、キー５１０は、例えば既存のキーのようにキーバッド５０８の一部でありうることに注意されたい。例えば、キー５１０は、（＊）キーであるかもしれない。
【００３０】
本発明の１つの実施例によれば、ホーム国際ダイヤルコードをダイヤルすることによって、モバイル装置が、国際通話を開始する。例えば、アメリカ合衆国にホームエージェントを持つモバイルユーザの場合、ユーザは、アメリカ合衆国コード、すなわち０１１をダイヤルする。ホーム国際ダイヤルコードを受信すると、このモバイル装置は、システムパラメータメッセージ内の情報に基づいて、モバイル装置の現在位置を確認する。もしもこの位置情報が、モバイル装置の位置を、アメリカ合衆国外であると識別すれば、このモバイル装置は、外のエージェントのためのローカルな国際ダイヤルコードを決定し、この番号を、ホーム国際ダイヤルコードの代わりに適用する。このように、ユーザは常に、デバイスの位置に関わらず、国際ダイヤルのためのホームコードを利用することが可能とされる。別の実施例は、国際ダイヤルコード情報のシステムからの検索を開始するためのその他のトリガ方法及び装置を実現する。別の実施例では、国際ダイヤルが、音声起動される。ここでは、ユーザが、口頭プロンプトをシステムに与え、システムがそれに応じて国際アクセスコードにアクセスする。
【００３１】
上記した２つの実施例及びその他によって、ユーザは、国際アクセスコードをダイヤルする必要なく、外国から国際通話を申し込むことができようになることは、当該技術分野における熟練者には明らかであろう。代わりに、加入者局は、ローカルなネットワークに登録している間、位置（例えば、外国内）を判定し、ソフトウェアアプリケーションを使って、対応する国際アクセスコードを識別する。又は、登録中のローカルなネットワークから適切な国際アクセスコードを検索する。その後、加入者局によって使用されるソフトウェアアプリケーションは、ユーザによって入力された電話番号の数字に、国際アクセスコードを追加し、結果として得られる国際アクセスコードを含んだ数字のストリングが、ＣＤＭＡ通信システム内でサポートされるように国際通話として識別される。
【００３２】
様々に示された論理ブロック、モジュール、および上述された実施例に関連して記載された回路もまた実装され、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）またはその他のプログラマブル論理デバイス、ディスクリートゲートあるいはトランジスタ論理、ディスクリートハードウェア部品、あるいは上述された機能を実現するために設計された何れかの組み合わせとともに実行されうる。汎用プロセッサとしてマイクロプロセッサを用いることが可能であるが、代わりに、従来技術によるプロセッサ、コントローラ、マイクロコントローラ、あるいは状態機器を用いることも可能である。
【００３３】
プロセッサは、たとえばＤＳＰとマイクロプロセッサとの組み合わせ、複数のマイクロプロセッサ、ＤＳＰコアに接続された１つ以上のマイクロプロセッサ、またはその他の配置のような計算デバイスの組み合わせとして実装することも可能である。
【００３４】
ここで開示された実施例に関連して記述された方法やアルゴリズムは、ハードウェアや、プロセッサによって実行されるソフトウェアモジュールや、これらの組み合わせによって直接的に具現化される。ソフトウェアモジュールは、ＲＡＭ、フラッシュメモリ、ＲＯＭ、ＥＰＲＯＭ、ＥＥＰＲＯＭ、レジスタ、ハードディスク、リムーバブルディスク、ＣＤ−ＲＯＭ、あるいは当該技術分野で知られているその他の型式の記憶媒体に収納されうる。記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣに収納することができる。ＡＳＩＣは、加入者局端末内に収納することもできる。または、このプロセッサと記憶媒体が、加入者局端末におけるディスクリートな部品として収納されることもある。
【００３５】
開示された実施例における上述の記載は、当該技術分野におけるいかなる人であっても、本発明の活用または利用を可能とするようになされている。これらの実施例への様々な変形例もまた、当該技術分野における熟練者に対しては明らかであって、ここで定義された一般的な原理は、本発明の主旨または範囲を逸脱しない他の実施例にも適用されうる。このように、本発明は、上記で示された実施例に制限されるものではなく、ここで記載された原理と新規の特徴に一致した広い範囲に相当するものを意図している。
【図１】
2011091823.tif 000003
【図２】
2011091823.tif 000004
【図３】
2011091823.tif 000005
【図４Ａ】
2011091823.tif 000006
【図４Ｂ】
2011091823.tif 000007
【図５】
2011091823.tif 000008
【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
通信方法であって、
ネットワークから情報を検索することと、
前記検索された情報に関連する国際アクセスコードを識別することと、
前記国際アクセスコードを用い、前記ネットワークを通じて、国際通話を申し込むことと
を備える方法。
【外国語明細書】
2011091823000001.pdf